(57)【特許請求の範囲】
【請求項１】
映像信号、音声信号、および前記映像信号を表示する際のアスペクト比と、を受信する受信部を備え、前記受信部は、映像信号の送受信についての所定の規格に適合する映像信号処理装置において、
前記アスペクト比に基づいて、前記映像信号のスケール調整を行って映像信号を出力する映像処理部を備え、
前記映像処理部は、以下の条件（Ａ）、（Ｂ）をいずれも満たすか判断し、これらいずれも満たす場合には、前記受信部が受信したアスペクト比を用いて前記映像信号の処理を行い、以下の条件（Ａ）、（Ｂ）のいずれかを満たさない場合には、受信した映像信号の解像度に基づいて、前記映像信号のアスペクト比を設定する映像信号処理装置。
（Ａ）前記受信部が、アスペクト比またはアスペクト比に対応するコードを受信する。
（Ｂ）前記（Ａ）のアスペクト比の値が、前記規格において前記受信部が受信した映像信号の解像度に対応して定められている。
【請求項２】
前記受信部は、前記規格として、デジタル形式の映像信号の送受信について定めたＨＤＭＩ（High-Definition Multimedia Interface）規格に適合するものであり、
前記映像処理部は、前記条件（Ａ）のアスペクト比として、ＨＤＭＩ規格で規定するアスペクト比である、１６：９または４：３であるか否かを判断する請求項１に記載の映像信号処理装置。
【発明の詳細な説明】
【技術分野】
【０００１】
本発明は、映像信号、音声信号を伝送する規格に従う装置のうちの受信側の映像信号処理装置に関する。
【背景技術】
【０００２】
従来、送信装置、受信装置間で、映像信号、音声信号をデジタル形式で伝送する規格として、ＨＤＭＩ（High-Definition Multimedia Interface）が定められている。ここで、送信装置としては、例えば、ＤＶＤプレーヤ、レコーダ、ビデオカメラ、テレビゲームが挙げられる。受信装置（音声信号処理装置）としては、例えば、デジタルテレビ、モニターなどが挙げられる。受信装置は、送信装置から映像信号、アスペクト比を受信する。ここで、アスペクト比は、テレビのモニターに映し出したときの縦横の映像のドット数の比である。受信装置は、受信したアスペクト比に基づいて、スケール調整を行っていた。
【０００３】
図３を用いて、ＨＤＭＩ規格に定められているアスペクト比の情報の伝達について説明する。このアスペクト比は、送信装置が送信するＡＶＩ  インフォフレーム  パケット  コンテンツ１０３（AVI InfoFrame Packet Contents）に含まれる。この中には、アスペクトをコード化したＭ値１０４が含まれている。このＭ値は、ＨＤＭＩの規格書が参照するＣＥＡ−８６１Ｄの規格に定められている。この規格では、Ｍ１、Ｍ０のビットの組み合わせは、音声の特定のアスペクト比１０５に対応している。
【０００４】
次に、図４を用いて、ＨＤＭＩ規格で定められた解像度について説明する。この規格では、解像度、周波数(field Rate)、アスペクト比の組み合わせが規定されている。例えば、１２８０ｘ７２０ｐの解像度は、１６：９である。受信装置では、この映像信号を受信すると同時に、上記Ｍ値１０４を受信する。そこで、受信装置は、Ｍ値に表わされた１６：９のアスペクト比で、映像信号をモニターに出力するため、元の１２８０ｘ７２０ｐの映像信号に対しスケール調整を行ったり、映像の両側にレターボックスを設けたりする。
【０００５】
一方、特許文献１〜５には、ＨＤＭＩ規格によってアスペクト比を送信、受信する装置が開示されている（特許文献１の請求項３、特許文献２の請求項１１、１２、特許文献３の段落６４、特許文献４の段落４、特許文献５の段落７参照。）。
【特許文献１】特開２００６−１０８７５０公報
【特許文献２】特開２００５−１６７８９５公報
【特許文献３】特開２００５−１０９７０３公報
【特許文献４】特開２００７−１８０７４６公報
【特許文献５】特開２００７−１５８９０３公報
【発明の開示】
【発明が解決しようとする課題】
【０００６】
しかしながら、発明者の研究によれば、送信装置が誤ったＭ値を送信したり、受信装置のチップが誤動作したり、伝送上のノイズの介在その他の要因が生じたりすることにより、受信装置が誤ったＭ値を受信する場合があった。なお、この受信したＭ値が誤っていることを「不正」であると称する（以下、本願において同じ）。このような場合、受信装置は、ゆがんだ映像を出力する。
【０００７】
図５を用いてこの映像のゆがみについて説明する。ＤＶＤプレーヤ１０１は、映像信号として、１２８０ｘ７２０ｐの映像をテレビ１０８に出力するものとする。このとき、送信装置は、アスペクト比を表わす上記Ｍ値を出力する。ＨＤＭＩの規格上、１２８０ｘ７２０ｐに対応するアスペクト比は、１６：９しかない。ＤＶＤプレーヤ１０１が誤って４：３のアスペクト比の映像を送信すると、テレビ１０８は、スケール調整を行って、モニターに出力する映像を４：３のアスペクト比にする。同時に、映像の両側にレターボックス１１０を設ける。そうすると、図５の右側のとおり、本来使用できるはずの領域の一部が使用されないだけでなく、本来の１６：９の映像の表示領域が横方向に狭くなり、ゆがんでしまうことがあった。
【０００８】
そこで、本発明は、映像信号の情報を送受信する規格に従う映像出力装置において、不正なアスペクト比の情報が送信されても、正しいアスペクト比で映像を再生することを目的とする。
【課題を解決するための手段】
【０００９】
上記課題を解決するために、以下の構成を備えることができる。
【００１０】
（１）  映像信号、音声信号、および前記映像信号を表示する際のアスペクト比と、を受信する受信部を備え、前記受信部は、映像信号の送受信についての所定の規格に適合する映像信号処理装置において、
前記アスペクト比に基づいて、前記映像信号のスケール調整を行って映像信号を出力する映像処理部を備え、
前記映像処理部は、以下の条件（Ａ）、（Ｂ）をいずれも満たすか判断し、これらいずれも満たす場合には、前記受信部が受信したアスペクト比を用いて前記映像信号の処理を行い、以下の条件（Ａ）、（Ｂ）のいずれかを満たさない場合には、受信した映像信号の解像度に基づいて、前記映像信号のアスペクト比を設定する映像信号処理装置。
（Ａ）前記受信部が、アスペクト比またはアスペクト比に対応するコードを受信する。
（Ｂ）前記（Ａ）のアスペクト比の値が、前記規格において前記受信部が受信した映像信号の解像度に対応して定められている。
【００１１】
この構成では、（Ａ）で、例えば１６：９や４：３などのアスペクト値、またはそれに対応するコードを受信できたかどうか判断する。これらを受信できなかった場合や、受信したが具体的な比率の値を取得できない場合には、受信したアスペクト比の情報を用いない。また、（Ｂ）において、前記映像信号の解像度に対応するアスペクト比が前記規格に定められたものであるか判断している。規格外であれば、不正なアスペクト比の値を受信したと判断できるから、当該受信した値でなく、受信した映像信号の解像度に基づいて、前記映像信号の処理に用いるアスペクト比を設定する。例えば、受信した映像信号から解像度を検出して、前記規格の中から解像度に対応するアスペクト比を選択し、これを設定するなどしてもよい。また、その解像度自体がそもそも規定されていない場合には、受信した映像信号の縦横の解像度の比をアスペクト比として設定してもよい。逆に（Ａ）、（Ｂ）いずれも条件を満たす場合には、正規のアスペクト比を受信できたと推認できるので、受信したアスペクト比を設定する。この構成では、受信したアスペクト比が、正規か不正か否か判断しているので、不正なアスペクト比を受信した場合でも、不正なアスペクト比を受信した場合でも、正しいアスペクト比の映像を表示する可能性を高めることができる。
【００１２】
（２）  前記受信部は、前記規格として、デジタル形式の映像信号の送受信について定めたＨＤＭＩ（High-Definition Multimedia Interface）規格に適合するものであり、
前記映像処理部は、前記条件（Ａ）のアスペクト比として、ＨＤＭＩ規格で規定するアスペクト比である、１６：９または４：３であるか否かを判断する。
【００１３】
この構成では、前記条件（Ａ）のアスペクト比として、１６：９、または４：３のアスペクト比を判断する。ＨＤＭＩ規格では、現在、アスペクト比として、１６：９、または４：３のみが規定されている。図３に示すＭ値で、１６：９、または４：３を含むＨＤＭＩ規格で規定するアスペクト比を判断する。
【発明の効果】
【００１４】
本発明によれば、不正なアスペクト比を受信した場合でも、正しいアスペクト比の映像を表示する可能性を高めることができる。
【発明を実施するための最良の形態】
【００１５】
図１を用いて、本発明の一実施形態のテレビ１と、これに接続するＤＶＤプレーヤ１０１について説明する。テレビ１は、図示しないアンテナから受信した放送信号から映像を生成し、表示する装置である。また、テレビ１は、ＨＤＭＩケーブル１０２を介して送信装置のＤＶＤプレーヤ１０１から映像信号を受信する。テレビ１、ＤＶＤプレーヤ１０１、ＨＤＭＩケーブル１０２は、デジタル形式の映像信号、音声信号を送信するＨＤＭＩ規格に準拠するものとする。
【００１６】
テレビ１は、ＨＤＭＩ＿ＲＸチップ２、音声処理部３０、表示部３１、映像処理部５０、音声出力部５２、ＭＰＵ６、メモリ６１を備えている。
【００１７】
ＨＤＭＩ＿ＲＸチップ２は、ＤＶＤプレーヤ１０１からＨＤＭＩケーブル１０２を介して送信された映像信号、音声信号、および、これらに付随する情報を受信する。ＨＤＭＩ＿ＲＸチップ２は、この情報を第１レジスタ２１に記録する。第１レジスタ２１は、ＭＰＵ６により参照される。この情報には、図３に示すＭ値が含まれる。
【００１８】
図３に示すように、Ｍ値１０４は、Ｍ１、Ｍ２の２ビットのコードからなる。たとえば、アスペクト比１０５に示すように、（Ｍ１，Ｍ０）＝（０，０）は、ノーデータを表わす。ＨＤＭＩ＿ＲＸチップ２がこれらを受信した場合、具体的なアスペクト比の値を取得できない。この１つの原因としては、Ｍ値が誤っている場合がある（不正の場合である）。また別の場合として、例えば、デジタルの映像信号を送信する規格で、アスペクト比の情報を送信しない規格に従う装置から、チップ２が情報を受信すると、Ｍ値がノーデータになる。
【００１９】
（Ｍ１，Ｍ０）が（０，１）または（１，０）のとき、アスペクト比がそれぞれ４：３、１６：９を表わす。これらのコードを受信した場合、映像処理部５０は、このコードに対応する具体的なアスペクト比の値を得ることができる。
【００２０】
音声出力部３２は、アンプ、スピーカを備え、Ｄ/Ａ変換された音声信号を放音する。
【００２１】
表示部３１は、例えば、液晶モニター、プラズマモニター、ＥＬモニター、ブラウン管、プロジェクターなどで構成する。
【００２２】
映像処理部５０は、映像処理部５０は、映像信号についての各種の処理を行う。例えば、ＨＤＭＩ＿ＲＸチップ２が受信した映像信号をデコードし、スケール調整を行って、表示部３１へ出力する。また、映像処理部５０は、内部に第２レジスタ５１を有しており、第２レジスタ５１には、映像処理部５０が処理を行うための情報が記録されている。映像処理部５０は、第２レジスタ５１に設定された（即ち、記録された）アスペクトに基づいて、各種の処理を行う。例えば、第２レジスタ５１に設定されたアスペクト比の情報に基づいてスケール調整を行い、場合により、レターボックス（図５の１１０参照）を追加する。
【００２３】
ＭＰＵ６は、ＣＰＵ、メモリ、ＲＯＭを備えている。ＭＰＵ６は、図示しない操作部の指示に基づいて、種々の処理を行う。ＲＯＭ内には、これらの処理のためのプログラムが記録されている。例えば、このプログラムには、アスペクト比判別処理を行うものが含まれる。この処理では、ＭＰＵ６が受信したＭ値（図３の１０３参照。）が正規か不正か判断する。ＭＰＵ６は、これを不正と判断すれば、Ｍ値を無視して、映像処理部５０の第２レジスタ５１に、映像信号に基づいて決定したアスペクト比を設定する。これにより、映像処理部５０は、チップ２が受信した映像信号に基づくアスペクト比で映像信号を出力する。
【００２４】
メモリ６１は、ＭＰＵ６の外部メモリであり、各種の制御情報を記憶している。ＭＰＵ６は、内部のメモリや外部のメモリ６１の内容を参照したり、データをこれらのメモリに記憶させたりする。
【００２５】
次に図２のフロー図を用いて、装置１のアスペクト比判別処理について説明する。ＳＴ１で、ＭＰＵ６は、ＨＤＭＩ＿ＲＸチップ２の第１レジスタ２１を読み出す。この第１レジスタ２１には、Ｍ値（図３の１０３参照。）が含まれている。
【００２６】
ＳＴ２で、ＭＰＵ６は、チップ２の第１レジスタ２１を調べて、チップ２が受信したＭ値が表わすアスペクト比が、１６：９または４：３であるかどうか判断する。ここで、ＨＤＭＩ規格では、出願時現在、アスペクト比は１６：９または４：３以外には定められていない。したがって、ＳＴ２の判断は、具体的なアスペクト比に対応するＭ値が、ＨＤＭＩ＿ＲＸチップ２を受信したかどうか判断することと同じ意味である。第１レジスタ２１に記録されたＭ値が（０，１）または（１，０）の場合（ＳＴ２のＹＥＳ）、即ち、具体的なアスペクト比を受信した場合には、さらにＳＴ３の判断を行う。
【００２７】
ＳＴ２の判断が否定の場合、ＳＴ５に移動する。ＳＴ２の判断が否定の場合とは、具体的には、チップ２が、ノーデータに対応する（０，０）、または予備（Future）（１，１）のＭ値を受信した場合である。Ｍ値として、ノーデータのＭ値を受信した場合には、受信した映像信号が規格に反しているか、受信時に誤った情報を受信したなど、不正な値を受信した場合である。または、ＨＤＭＩ規格以前の、アスペクト比を送信しない規格に適合する送信装置（ＤＶＤプレーヤ１０１に対応する）から受信した場合も、このような値を受信する。一方、Ｍ値として、予備の値（１，１）を受信した場合、送信装置がこのような値を送信するはずがないから、この場合にも、不正な値を受信したことになる。
【００２８】
ＳＴ３では、受信した映像信号から、解像度（縦、横のドット数）、その周波数、およびアスペクト比を調査し、それらの組み合わせが、ＨＤＭＩ規格が参照する規格（ＣＥＡ８６１Ｄ、図４参照。）に存在するどうか判断する。
【００２９】
ここで、図４を参照して、ＳＴ３において、規格に存在するかどうか判断する方法について、より具体的に説明する。図４は、ＨＤＭＩ規格で参照されている規格（ＣＥＡ８６１Ｄ）を表わしている。メモリ６１、またはＭＰＵ６内のメモリは、予めこの規格の情報を記憶している。ＨＤＭＩ＿ＲＸチップ２が受信した上記組み合わせが規格にない場合には、ＭＰＵ６は、アスペクト比が不正であると判断する。上記組み合わせが規格に存在すれば（ＳＴ３のＹＥＳ）、ＭＰＵ６は、チップ２が受信したＭ値を正規であるとして扱う。即ち、ＳＴ４で、映像処理部５０が出力すべき映像信号のアスペクト比を、Ｍ値の値と決定する。逆に、この組み合わせが規格に存在しなければ（ＳＴ３のＮＯ）、ＭＰＵ６は、Ｍ値が不正であるといえる。この場合には、ＳＴ５に移動する。
【００３０】
ＳＴ５は、ＳＴ２、ＳＴ３の判断でＮＯとなった場合に分岐する。ＳＴ２のＮＯの場合には、Ｍ値が設定されていないから、上述のとおり、不正な値を受け取ったことになる。また、アスペクト比を送信しない規格に従う装置から映像信号を受信したときも、ノーデータとなる。これらの場合には、そもそも、映像信号の情報を受信していないことになるから、第２レジスタ５１に設定すべきアスペクト比として、Ｍ値の情報を用いることができない。
【００３１】
また、ＳＴ３のＮＯの場合には、ＨＤＭＩ規格が参照するフォーマットに存在しないない。したがって、たとえ、受信したＭ値に、アスペクト値の具体的な値（１６：９）、（４：３）に対応するビット（０，１）、（１，０）が設定されていても、不正なＭ値を受信したことになる。以上のＳＴ２のＮＯ、ＳＴ３のＮＯの場合には、ＭＰＵ６は、この受信したＭ値を用いずに、この規格から解像度、周波数の組み合わせを検索し、これに対応するアスペクト比を選択する。ＭＰＵ６は、映像処理部５０が出力する映像信号のアスペクト比を、この選択したアスペクト比と決定する（ＳＴ５）。なお、ＳＴ５において、解像度と周波数の組み合わせが規格にない場合には、アスペクト比を縦横の解像度の比と決定することができる。
【００３２】
ＳＴ６で、ＳＴ４またはＳＴ５で決定したアスペクト比を第２レジスタ５１に設定する。これにより、映像処理部５０は、このアスペクト比に基づいてスケール調整等を行う。
【００３３】
なお、以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。各ブロックの役割分担について、あるブロックの一部の機能を他のブロックの一部の機能としてもよい。
【００３４】
また、本発明の実施形態としては、テレビ１の代替として、映像信号を映し出すモニターを用いることができる。この実施形態として、放送信号を受信する構成、音声処理部３０、表示部３１は、必ずしも必要でない。アスペクト比を設定し、それに基づいて映像信号を処理する装置であれば、本発明の実施形態を応用できる。また、メモリ６１、ＭＰＵ６内のメモリは、両方備える必要もなく、単に、ＭＰＵ６が制御情報や計算結果を保持できれば、メモリをどのような実施形態としてもよい。
【００３５】
また、以上の実施形態では、ＨＤＭＩ規格に従う装置を例にとって説明したが、映像信号を受信する装置であって、アスペクト比の情報を受信する規格に従う装置であれば、以上の実施形態をそのまま応用できる。
【００３６】
また、図２のフローでは、ＳＴ２とＳＴ３のいずれを先に判断して処理を分岐してもよいが、ＳＴ３でアスペクト比が規格に適合するか判断する前提として、具体的な値のアスペクト比を入力できたか（ＳＴ２）を判断するのが好ましい。
【００３７】
さらに、映像処理部５０およびＭＰＵ６を合わせて、本発明の映像処理部に相当する。Ｍ値は本発明の「アスペクト比に対応するコード」に相当する。
【図面の簡単な説明】
【００３８】
【図１】本発明の実施形態のテレビとこれに接続するＤＶＤプレーヤを表わしている。
【図２】本実施形態のアスペクト比判別処理のフローを表している。
【図３】ＨＤＭＩ規格で定めるＡＶＩ  インフォフレーム  パケット  コンテンツに含まれるＭ値について表わしている。
【図４】ＨＤＭＩ規格が参照する規格で定められた、解像度、周波数、アスペクト比の組み合わせを表わしている。
【図５】ＨＤＭＩ＿ＲＸチップが受信したＭ値が不正の場合に、テレビに出力される画面の例を示す。
【符号の説明】
【００３９】
１−テレビ、  ２−ＨＤＭＩ＿ＲＸチップ、  ２１−第１レジスタ、
３０−音声処理部、  ３１−表示部、  ５０−映像処理部、  ５１−第２レジスタ、
５２−表示部、  ６−ＭＰＵ、  ６１−メモリ、
１０１−ＤＶＤプレーヤ、  １０２−ＨＤＭＩケーブル
１０３−ＡＶＩ  インフォフレーム  パケット  コンテンツ、
１０４−Ｍ値、  １０４−アスペクト比、  １０７−映像信号、
１０８−テレビ、  １０９−画面、  １１０−レターボックス
【図１】
0004483939.tif 000002
【図２】
0004483939.tif 000003
【図３】
0004483939.tif 000004
【図４】
0004483939.tif 000005
【図５】
0004483939.tif 000006